(57)【要約】【課題】直管型ＬＥＤ照明に多様な機器を容易に接続できるようにする。【解決手段】直管型のＬＥＤ照明装置２と電子機器３とを接続する円筒状の接続部材１であって、円筒の一端部に、ＬＥＤ照明装置２と接合して当該ＬＥＤ照明装置２を固定する内筒部１２及び外筒部１３が設けられ、円筒の他端部に、電子機器３と接合して当該電子機器３を固定する機器接続部１４が設けられている。【選択図】図１
2020077538.tif 000002
【特許請求の範囲】
【請求項１】
直管型のＬＥＤ照明装置と電子機器とを接続する接続部材であって、
前記接続部材の長手方向一端部に、前記ＬＥＤ照明装置と接合するＬＥＤ固定機構が設けられ、
前記長手方向の他端部に、前記電子機器と接合する機器固定機構が設けられている、
ことを特徴とする接続部材。
【請求項２】
前記機器固定機構は、固定された前記電子機器へ電力を供給することを特徴とする請求項１に記載の接続部材。
【請求項３】
固定された前記ＬＥＤ照明装置から前記電子機器へ電力を供給する供給部を備えることを特徴とする請求項２に記載の接続部材。
【請求項４】
前記ＬＥＤ照明装置以外から前記電子機器へ電力を供給する供給部を備えることを特徴とする請求項２に記載の接続部材。
【請求項５】
外部から入力された電力を前記電子機器に適した電力に変換する変換回路を備えることを特徴とする請求項２から４のうちいずれか一項に記載の接続部材。
【請求項６】
前記ＬＥＤ固定機構及び前記機器固定機構の少なくともいずれか一方は、
前記ＬＥＤ照明装置の端部又は前記電子機器の端部を収容するとともに外周にネジ溝が形成されている内筒部と、
前記内筒部の外周に設けられ、前記ネジ溝に沿って端部に移動させることによって、前記内筒部と前記ＬＥＤ照明装置の端部又は前記電子機器の端部とを締め付ける外筒部と、
を備えることを特徴とする請求項１から５のうちいずれか一項に記載の接続部材。
【請求項７】
前記ＬＥＤ固定機構及び前記機器固定機構の少なくともいずれか一方は、
外周にネジ溝が形成された前記ＬＥＤ照明装置の端部又は前記電子機器の端部を収容し、前記ＬＥＤ照明装置の端部又は前記電子機器の端部に形成されたネジ溝と螺合するネジ溝が形成された螺合部を備えることを特徴とする請求項１から５のうちいずれか一項に記載の接続部材。
【請求項８】
前記ＬＥＤ固定機構及び前記機器固定機構の少なくともいずれか一方は、
前記ＬＥＤ照明装置の端部又は前記電子機器の端部が挿入される筒部が、入口よりも奥側が狭まっている円錐状に形成され、さらに前記円錐の内周には凹凸部が形成されており、
前記円錐状かつ当該円錐の外周に凹凸部が形成された前記ＬＥＤ照明装置の端部又は前記電子機器の端部が挿入されて、前記凹凸部同士が嵌合することで前記ＬＥＤ照明装置の端部又は前記電子機器の端部が固定されることを特徴とする請求項１から５のうちいずれか一項に記載の接続部材。
【請求項９】
前記ＬＥＤ固定機構及び前記機器固定機構の少なくともいずれか一方は、
前記ＬＥＤ照明装置の端部又は前記電子機器の端部が挿入される筒部の内周の端部に前記内周を構成する円周に沿って溝部が形成され、
前記溝部は、前記ＬＥＤ照明装置又は前記電子機器の外周の端部に形成された突起と嵌合することで前記ＬＥＤ照明装置の端部又は前記電子機器の端部が固定されることを特徴とする請求項１から５のうちいずれか一項に記載の接続部材。
【請求項１０】
前記ＬＥＤ固定機構は、
前記ＬＥＤ照明装置を収容し、前記ＬＥＤ照明装置の両端を保持する収容部を備え、
前記収容部は、前記ＬＥＤ照明装置の発光部の少なくとも一部が露出する開口が設けられている、
ことを特徴とする請求項１から５のうちいずれか一項に記載の接続部材。
【請求項１１】
前記ＬＥＤ固定機構及び前記機器固定機構の少なくともいずれか一方は、
前記筒の軸方向と直交する断面の中心部に設けられた雌端子と、前記中心部から間隔を空けた周囲に形成された同心円形状の溝からなる雌端子と、を備えることを特徴とする請求項６から１０のうちいずれか一項に記載の接続部材。
【発明の詳細な説明】
【技術分野】
【０００１】
本発明は、直管型のＬＥＤ（発光ダイオード）照明装置とカメラ等の電子機器とを接続する接続部材に関する。
【背景技術】
【０００２】
近年、屋内や鉄道車両等の移動体内に設置されている直管型蛍光灯を、省エネルギーや長寿命化の観点からＬＥＤを使用した照明器具に置き換えることが行われている。
【０００３】
また、直管型ＬＥＤをソケット部に取り付けて使用するＬＥＤ照明用のカメラユニットが、例えば特許文献１に記載されている。この種のカメラユニットによれば、例えば、照明装置を利用して防犯カメラを設置することが可能となる。
【先行技術文献】
【特許文献】
【０００４】
【特許文献１】特開２０１６−３９５４３号公報
【発明の概要】
【発明が解決しようとする課題】
【０００５】
特許文献１に記載の構成では、直管型ＬＥＤにカメラユニットを直接接続している。この場合、互いの接続構造を合わせる必要がある。例えば、直管型ＬＥＤ側の接続構造が従来の直管型蛍光灯が装着されるソケットを前提としたピン等からなる構造であった場合は、カメラユニット側は当該ピンが挿入されるソケットに相当する構造を備えなければならない。そのため、カメラユニット等の電子機器の小型化といった設計の自由度が制限されるおそれがある。また、既に存在する他の接続構造を有する電子機器を接続することもできない。つまり、ＬＥＤ照明装置に多様な機器を容易に接続することが困難になる。
【０００６】
そこで、本発明は、直管型ＬＥＤ照明に多様な機器を容易に接続できるようにすることを目的とする。
【課題を解決するための手段】
【０００７】
上記課題を解決するためになされた請求項１に記載された発明は、直管型のＬＥＤ照明装置と電子機器とを接続する接続部材であって、前記接続部材の長手方向一端部に、前記ＬＥＤ照明装置と接合するＬＥＤ固定機構が設けられ、前記長手方向の他端部に、前記電子機器と接合する機器固定機構が設けられている、ことを特徴とする接続部材である。
【０００８】
請求項２に記載された発明は、請求項１に記載された発明において、前記機器固定機構は、固定された前記電子機器へ電力を供給することを特徴とするものである。
【０００９】
請求項３に記載された発明は、請求項２に記載された発明において、固定された前記ＬＥＤ照明装置から前記電子機器へ電力を供給する供給部を備えることを特徴とするものである。
【００１０】
請求項４に記載された発明は、請求項２に記載された発明において、前記ＬＥＤ照明装置以外から前記電子機器へ電力を供給する供給部を備えることを特徴とするものである。
【００１１】
請求項５に記載された発明は、請求項２から４のうちいずれか一項に記載された発明において、外部から入力された電力を前記電子機器に適した電力に変換する変換回路を備えることを特徴とするものである。
【００１２】
請求項６に記載された発明は、請求項１から５のうちいずれか一項に記載された発明において、前記ＬＥＤ固定機構及び前記機器固定機構の少なくともいずれか一方は、前記ＬＥＤ照明装置の端部又は前記電子機器の端部を収容するとともに外周にネジ溝が形成されている内筒部と、前記内筒部の外周に設けられ、前記ネジ溝に沿って端部に移動させることによって、前記内筒部と前記ＬＥＤ照明装置の端部又は前記電子機器の端部とを締め付ける外筒部と、を備えることを特徴とするものである。
【００１３】
請求項７に記載された発明は、請求項１から５のうちいずれか一項に記載された発明において、前記ＬＥＤ固定機構及び前記機器固定機構の少なくともいずれか一方は、外周にネジ溝が形成された前記ＬＥＤ照明装置の端部又は前記電子機器の端部を収容し、前記ＬＥＤ照明装置の端部又は前記電子機器の端部に形成されたネジ溝と螺合するネジ溝が形成された螺合部を備えることを特徴とするものである。
【００１４】
請求項８に記載された発明は、請求項１から５のうちいずれか一項に記載された発明において、前記ＬＥＤ固定機構及び前記機器固定機構の少なくともいずれか一方は、前記ＬＥＤ照明装置の端部又は前記電子機器の端部が挿入される筒部が、入口よりも奥側が狭まっている円錐状に形成され、さらに前記円錐の内周には凹凸部が形成されており、前記円錐状かつ当該円錐の外周に凹凸部が形成された前記ＬＥＤ照明装置の端部又は前記電子機器の端部が挿入されて、前記凹凸部同士が嵌合することで前記ＬＥＤ照明装置の端部又は前記電子機器の端部が固定されることを特徴とするものである。
【００１５】
請求項９に記載された発明は、請求項１から５のうちいずれか一項に記載された発明において、前記ＬＥＤ固定機構及び前記機器固定機構の少なくともいずれか一方は、前記ＬＥＤ照明装置の端部又は前記電子機器の端部が挿入される筒部の内周の端部に前記内周を構成する円周に沿って溝部が形成され、前記溝部は、前記ＬＥＤ照明装置又は前記電子機器の外周の端部に形成された突起と嵌合することで前記ＬＥＤ照明装置の端部又は前記電子機器の端部が固定されることを特徴とするものである。
【００１６】
請求項１０に記載された発明は、請求項１から５のうちいずれか一項に記載された発明において、前記ＬＥＤ固定機構は、前記ＬＥＤ照明装置を収容し、前記ＬＥＤ照明装置の両端を保持する収容部を備え、前記収容部は、前記ＬＥＤ照明装置の発光部の少なくとも一部が露出する開口が設けられている、ことを特徴とするものである。
【００１７】
請求項１１に記載された発明は、請求項６から１０のうちいずれか一項に記載された発明において、前記ＬＥＤ固定機構及び前記機器固定機構の少なくともいずれか一方は、前記筒の軸方向と直交する断面の中心部に設けられた雌端子と、前記中心部から間隔を空けた周囲に形成された同心円形状の溝からなる雌端子と、を備えることを特徴とするものである。
【発明の効果】
【００１８】
請求項１に記載の発明によれば、一端部でＬＥＤ固定機構によりＬＥＤ照明装置を接合し、他端部で機器固定機構により電子機器を接合するので、電子機器の接続機構をＬＥＤ照明装置に合わせる必要が無い。そのため、電子機器側の接続構造の自由度が増し、直管型ＬＥＤ照明に多様な機器を容易に接続できるようになる。
【００１９】
請求項２に記載の発明によれば、機器固定機構は、固定された電子機器へ電力を供給するので、電子機器が別途電力供給用の接続部等を設ける必要が無い。
【００２０】
請求項３に記載の発明によれば、固定されたＬＥＤ照明装置から電子機器へ電力を供給する供給部を備えるので、ＬＥＤ照明装置から電子機器に電力を供給することができる。
【００２１】
請求項４に記載の発明によれば、ＬＥＤ照明装置以外から電子機器へ電力を供給する供給部を備えるので、ＬＥＤ照明装置が電力供給をすることができない場合であっても、電子機器に電力を供給することができる。
【００２２】
請求項５に記載の発明によれば、外部から入力された電力を電子機器に適した電力に変換する変換回路を備えるので、例えばＬＥＤ照明装置から出力される電力が電子機器に適していなくても、電子機器に合わせた電力を供給することができる。
【００２３】
請求項６に記載の発明によれば、内筒部に収容されたＬＥＤ照明装置の端部又は電子機器の端部を内筒部ごと外筒部が締め付けて保持することができるので、確実に接合することができる。
【００２４】
請求項７に記載の発明によれば、螺合部によってＬＥＤ照明装置の端部又は電子機器の端部が接合されるので、ねじ込むようにして接合状態にすることができる。
【００２５】
請求項８に記載の発明によれば、凹凸同士が嵌合することでＬＥＤ照明装置の端部又は電子機器の端部を接合することができる。また、筒部が円錐状に形成されているので、ＬＥＤ照明装置を挿入し易く作業性を向上させることができる。
【００２６】
請求項９に記載の発明によれば、突起と溝部の嵌合によってＬＥＤ照明装置の端部又は電子機器の端部が固定されるので、例えば筆記具のキャップのように接続部材にＬＥＤ照明装置等を押し込むだけで接合状態にすることができる。
【００２７】
請求項１０に記載の発明によれば、本体部によりＬＥＤ照明装置の両端を保持するので、市販の直管型の照明装置をそのまま利用することができる。
【００２８】
請求項１１に記載の発明によれば、接続端子が円筒の中心部と、その周囲に同心円状に設けられているので、例えば、ＬＥＤ照明装置や電子機器が接続部材に対して、その軸方向に回転するような場合であっても、電気的接続を保つことができる。
【図面の簡単な説明】
【００２９】
【図１】本発明の第１の実施形態にかかる接続部材と、その接続部材に接続されるＬＥＤ照明装置及び電子機器の側面図である。
【図２】図１に示されたＬＥＤ照明装置側から見た斜視図である。
【図３】図１に示された電子機器側から見た斜視図である。
【図４】雄端子と雌端子とが接続された状態を示す図である。
【図５】図１に示された接続部材の機能的構成を示した図である。
【図６】図５の他の構成を示した図である。
【図７】本発明の第２の実施形態にかかる接続部材と、その接続部材に接続されるＬＥＤ照明装置及び電子機器の側面図である。
【図８】図７に示されたＬＥＤ照明装置側から見た斜視図である。
【図９】図７に示された電子機器側から見た斜視図である。
【図１０】本発明の第３の実施形態にかかる接続部材と、その接続部材に接続されるＬＥＤ照明装置及び電子機器の側面図である。
【図１１】図１０に示されたＬＥＤ照明装置側から見た斜視図である。
【図１２】図１０に示された電子機器側から見た斜視図である。
【図１３】本発明の第４の実施形態にかかる接続部材と、その接続部材に接続されるＬＥＤ照明装置及び電子機器の側面図である。
【図１４】図１３に示されたＬＥＤ照明装置側から見た斜視図である。
【図１５】図１３に示された電子機器側から見た斜視図である。
【発明を実施するための最良の形態】
【００３０】
（第１実施形態）
以下、本発明の第１の実施形態を、図１〜図６を参照して説明する。図１は、本発明の第１の実施形態にかかる接続部材と、その接続部材に接続されるＬＥＤ照明装置及び電子機器の側面図である。図２は、図１のＬＥＤ照明装置側から見た斜視図である。図３は、図１の電子機器側から見た斜視図である。
【００３１】
接続部材１は、本体部１１と、内筒部１２と、外筒部１３と、機器接続部１４と、を備えている。
【００３２】
本体部１１は、略円筒状に形成されている。また、本体部１１は、一端部にＬＥＤ照明装置２の雌端子２５ａ、２５ｂと電気的に接続する雄端子１５ａ、１５ｂが突設されている（図２を参照）。また、本体部１１は、他端部に電子機器３の雄端子３３ａ、３３ｂと電気的に接続する雌端子１６ａ、１６ｂが設けられている（図３を参照）。
【００３３】
雄端子１５ａは、本体部１１を構成する円筒の断面となる円の中心部に設けられている。雄端子１５ｂは、雄端子１５ａから所定の間隔を空けて設けられている。
【００３４】
雌端子１６ａは、本体部１１を構成する円筒の断面となる円の中心部に設けられている。つまり、雌端子１６ａは、筒の軸方向と直交する断面の中心部に設けられている。雌端子１６ｂは、雌端子１６ａから所定の間隔を空けて同心円状の溝として設けられている。
【００３５】
内筒部１２は、本体部１１の一端部に設けられている。内筒部１２は、円筒状に形成され後述するＬＥＤ照明装置２の他端部２３を収容する。また、内筒部１２は、その先端部には、複数の切欠１２ａが形成されている。また、内筒部１２は、外周面に雄ネジ（ネジ溝）が形成されている。
【００３６】
外筒部１３は、本体部１１の一端部（接続部材１の長手方向の一端部）に設けられている。外筒部１３は、略円環状に形成されている。また、外筒部１３は、内周面に雌ネジ（ネジ溝）が形成され内筒部１２の外周部に形成された雄ネジと螺合している。外筒部１３は、内筒部１２の雄ネジと螺合することで、内筒部１２の軸方向、つまり、本体部１１側から切欠１２ａが形成されている先端部へ移動することが可能となっている。
【００３７】
機器接続部１４は、本体部１１の他端部（接続部材１の長手方向の他端部）に設けられている。機器接続部１４は、円筒状に形成され後述する電子機器３の雄ネジ部３２を収容する。そして、機器接続部１４は、当該雄ネジ部３２と螺合できるように、円筒の内周に雌ネジ（ネジ溝）が形成されている。即ち、機器接続部１４は、内周にネジ溝が形成され、外周にネジ溝が形成された電子機器３の端部を収容し、外周に形成されたネジ溝と螺合する螺合部として機能する。
【００３８】
ＬＥＤ照明装置２は、図１等に示したように直管型のＬＥＤ照明装置である。ＬＥＤ照明装置２は、管体２１と、一端部２２と、他端部２３と、を備えている。
【００３９】
管体２１は、例えば透光性を有する合成樹脂材料により直管状（略円筒状）に形成されている。つまり、管体２１は、ＬＥＤ照明装置２の発光部となる。また、管体２１には、内部に複数のＬＥＤを実装したＬＥＤ基板や電源回路等が収容されている。
【００４０】
一端部２２は、管体２１の長手方向の一端側に設けられ有底筒状に形成されている。一端部２２には、管体２１の長手方向に突出する一対の口金ピン２４ａ、２４ｂが設けられている（図１及び図２を参照）。口金ピン２４ａ、２４ｂは、金属等の剛性の高い材料で略円筒形に形成されている。口金ピン２４ａ、２４ｂは、ＬＥＤ照明装置２を取り付けるソケット等に装着されることでソケット等から電力が供給される。
【００４１】
他端部２３は、管体２の長手方向の他端側に設けられ有底筒状に形成されている。他端部２３には、接続部材１の雄端子１５ａ、１５ｂと電気的に接続する雌端子２５ａ、２５ｂが設けられている（図３を参照）。
【００４２】
雌端子２５ａは、他端部２３を構成する円筒の断面となる円の中心部に設けられている。雌端子２５ｂは、雌端子２５ａから所定の間隔を空けて同心円状の溝として設けられている。雌端子２５ａは、ＬＥＤ照明装置２が接続部材１と接合された際には雄端子１５ａと電気的に接続される。雌端子２５ｂは、ＬＥＤ照明装置２が接続部材１と接合された際には雄端子１５ｂと電気的に接続される。図４に雄端子１５ａ、１５ｂと雌端子２５ａ、２５ｂとが接続された状態を示す。
【００４３】
図４に示したように、雄端子１５ａは、雌端子２５ａに挿入される。また、雄端子１５ｂは、雌端子２５ｂとなる溝部のいずれかに侵入する。このようにして、雄端子１５ａ、１５ｂと雌端子２５ａ、２５ｂとは電気的に接続される。
【００４４】
電子機器３は、例えばカメラとして構成することができる。電子機器３は、本体部３１を備えている。なお、電子機器３としてはカメラに限らずスピーカや無線ＬＡＮの中継器等であってもよく特に限定されない。
【００４５】
本体部３１は、略円筒状に形成されている（図１〜図３を参照）。また、本体部３１は、一端側外周部に雄ネジ部３２が形成されている。雄ネジ部３２は、接続部材１の機器接続部１４の雌ネジと螺合することで電子機器３と接続部材１とを固定する。
【００４６】
また、本体部３１は、一端部に接続部材１の雌端子１６ａ、１６ｂと電気的に接続する雄端子３３ａ、３３ｂが突設されている（図１及び図２を参照）。雄端子３３ａは、本体部３１を構成する円筒の断面となる円の中心部に設けられている。雄端子３３ｂは、雄端子３３ａから所定の間隔を空けて設けられている。雄端子３３ａは、電子機器３が接続部材１と接合された際には雌端子１６ａと電気的に接続される。雄端子３３ｂは、電子機器３が接続部材１と接合された際には雌端子１６ｂと電気的に接続される。雄端子３３ａ、３３ｂと雌端子１６ａ、１６ｂとが接続された状態は図４と同様である。
【００４７】
また、本体部３１は、他端部にソケット等に装着するためのピン３４ａ、３４ｂが設けられている。このピン３４ａ、３４ｂは、口金ピン２４ａ、２４ｂと同様に構成すればよいが、ソケット等から電力供給は受けないので電子機器３の内部基板等とは絶縁されている。
【００４８】
上述した接続部材１とＬＥＤ照明装置２は、ＬＥＤ照明装置２の他端部２３を接続部材１の内筒部１２に挿入して、外筒部１３をネジ溝に沿って回動させて内筒部１２の先端方向へ移動させる。すると、内筒部１２の先端には切欠１２ａが形成されているので、外筒部１３が移動すると、当該先端が他端部２３を押さえるように変形する。したがって、他端部２３が内筒部１２とともに外筒部１３によって締め付けられて固定される。
【００４９】
このとき、雄端子１５ａと雌端子２５ａとはそれぞれ円の中心部に設けられているので、位置ずれが生じず接続が容易である。また、雄端子１５ｂは、雌端子２５ｂが同心円状に形成されているので、同心円状の溝の範囲であれば接触可能であり、雌端子２５ｂの位置を気にせずに挿入することができ接続が容易である。
【００５０】
一方、接続部材１と電子機器３は、電子機器３の一端部を接続部材１の機器接続部１４へ挿入して、機器接続部１４のネジ溝と電子機器３のネジ溝とを螺合させてねじ込むことによって固定される。
【００５１】
このとき、雄端子３３ａと雌端子１６ａとはそれぞれ円の中心部に設けられているので、位置ずれが生じず接続が容易である。また、雄端子３３ｂは、雌端子１６ｂが同心円状に形成されているので、同心円状の溝の範囲であれば接触可能であり、雌端子１６ｂの位置を気にせずに螺合（回転）させることができ接続が容易である。
【００５２】
即ち、内筒部１２と外筒部１３とが、ＬＥＤ照明装置２と接合するＬＥＤ固定機構として機能し、機器接続部１４が、電子機器３と接合する機器固定機構として機能する。
【００５３】
次に、接続部材１の機能的構成について図５を参照して説明する。図５に示したように、接続部材１は、電源回路４を備えている。電源回路４は、ＬＥＤ照明装置２から電源供給を受け、その電源電圧や電流を所定の電圧や電流に変換して電子機器３へ出力する。つまり、雄端子１５ａ、１５ｂを電源入力とし、電源回路４を介して、雌端子１６ａ、１６ｂが電源出力となる。即ち、雌端子１６ａ、１６ｂは、固定された電子機器３へ電力を供給する機器固定機構を構成する。また、図５の場合、雌端子１６ａ、１６ｂは、ＬＥＤ照明装置２から電子機器３へ電力を供給する供給部としても機能する。
【００５４】
電源回路４は、例えばＬＥＤ照明装置２から交流電力が供給される場合は、変圧器や整流回路等を有する。また、ＬＥＤ照明装置２から直流電力が供給される場合は、ＤＣ−ＤＣコンバータや定電流回路等を有する。電源回路４の構成は、ＬＥＤ照明装置２と接続が想定される電子機器３に合わせて決定すればよい。したがって、ＬＥＤ照明装置２や電子機器３の構成に合わせて複数種類の接続部材１を用意してもよい。即ち、電源回路４は、外部から入力された電力を電子機器に適した電力に変換する変換回路として機能する。
【００５５】
また、図５に示したようなＬＥＤ照明装置２から電源を供給される構成に限らず、図６に示したように、ＬＥＤ照明装置２以外の外部から電源が供給されてもよい。この場合は、接続部材１に電源供給用のコネクタ等を新たに設ける必要がある。このようにすることにより、ＬＥＤ照明装置２が電力供給をすることができない場合であっても、電子機器３に電力を供給することができる。図６の場合も、雌端子１６ａ、１６ｂは、ＬＥＤ照明装置２以外から電子機器３へ電力を供給する供給部として機能する。
【００５６】
さらには、接続部材１は、電源回路４を備えていなくてもよい。つまり、ＬＥＤ照明装置２等から直接電子機器３に電源を供給するようにしてもよい。この場合、接続部材１は、雄端子１５ａ、１５ｂと雌端子１６ａ、１６ｂとを電気的に接続する配線を有することとなる。
【００５７】
なお、図１等では、接続部材１とＬＥＤ照明装置２との接続に内筒部１２と外筒部１３により締め付ける方式を用い、接続部材１と電子機器３との接続にねじ込み方式を用いたが逆であってもよい。
【００５８】
本実施例によれば、直管型のＬＥＤ照明装置２と電子機器３とを接続する円筒状の接続部材１であって、本体部１１の一端部に、ＬＥＤ照明装置２と接合する内筒部１２及び外筒部１３が設けられ、本体部１１の他端部に、電子機器３と接合する機器接続部１４が設けられている。このようにすることにより、電子機器３の接続機構をＬＥＤ照明装置２に合わせる必要が無い。そのため、電子機器３側の接続構造の自由度が増し、直管型のＬＥＤ照明装置２に多様な機器を容易に接続できるようになる。
【００５９】
また、内筒部１２に収容されたＬＥＤ照明装置２の他端部２３を内筒部１２ごと外筒部１３が締め付けて保持することができるので、確実に接合することができる。
【００６０】
また、機器接続部１４によって電子機器３の一端部が接合されるので、ねじ込むようにして接合状態にすることができる。
【００６１】
また、雌端子１６ａが円筒の円の中心部に、雌端子１６ｂが雌端子１６ａの周囲に同心円状に設けられているので、電子機器３が接続部材１に対して、その軸方向に回転するような場合であっても、電気的接続を保つことができる。
【００６２】
また、機器接続部１４は、固定された電子機器３へ電力を供給するので、電子機器３が別途電力供給用の接続部等を設ける必要が無い。
【００６３】
また、固定されたＬＥＤ照明装置２から電子機器３へ電力を供給するために雄端子１５ａ、１６ｂ及び雌端子１６ａ、１６ｂを備えるので、ＬＥＤ照明装置２から電子機器３に電力を供給することができる。
【００６４】
また、電源回路４は、外部から入力された電力を電子機器３に適した電力に変換するので、例えばＬＥＤ照明装置２から出力される電力が電子機器３に適していなくても、電子機器３に合わせた電力を供給することができる。
【００６５】
（第２実施形態）
次に、本発明の第２の実施形態にかかる接続部材１Ａを図７〜図９を参照して説明する。前述した第１の実施形態と同一部分には、同一符号を付して説明を省略する。
【００６６】
本実施形態にかかる接続部材１Ａは、本体部１１と、ＬＥＤ接続部１７と、機器接続部１４と、を備えている。本体部１１及び機器接続部１４は、図１等に示した第１の実施形態と同様である。
【００６７】
また、接続部材１ＡとＬＥＤ照明装置２Ａとの電気的接続及び、接続部材１Ａと電子機器３との電気的接続は、第１の実施形態で示した雄端子と雌端子によるものと同様である。また、本実施形態において、電源回路４については、図５や図６で示したいずれの態様もとることができる。
【００６８】
ＬＥＤ接続部１７は、截頭円錐状の筒状に形成されている。また、ＬＥＤ接続部１７は、前記した截頭円錐の断面の円の直径が小さい方の端部が本体部１１と接続されている。したがって、ＬＥＤ接続部１７は、本体部１１と接続した状態では、截頭円錐の断面の円の直径が大きい方の端部が開口しているようになる。即ち、ＬＥＤ接続部１７は、ＬＥＤ照明装置２Ａの端部が挿入される筒部が、入口よりも奥側が狭まっている円錐状に形成されている。
【００６９】
また、ＬＥＤ接続部１７は、その筒の内周面に円錐の軸方向と直交するように形成された凹凸部１７ａが複数設けられている（図８を参照）。この凹凸部１７ａは、後述する凹凸部２３Ａａと嵌合することでＬＥＤ照明装置２Ａを固定する。
【００７０】
本実施形態のＬＥＤ照明装置２Ａは、管体２１と、一端部２２と、他端部２３Ａと、を備えている。管体２１と一端部２２は、図１等に示した第１の実施形態と同様である。
【００７１】
他端部２３Ａは、截頭円錐状に形成されている。また、他端部２３Ａの外周面には、円錐の軸方向と直交するように形成された凹凸部２３Ａａが複数設けられている。そして、他端部２３Ａの先端部（截頭円錐の断面の円の直径が小さい方の端部）には第１の実施形態と同様に雌端子２５ａ、２５ｂが設けられている（図９を参照）。他端部２３Ａは、接続部材１ＡのＬＥＤ接続部１７内に挿入されて、凹凸部２３Ａａが凹凸部１７ａと嵌合することによって固定される。
【００７２】
即ち、ＬＥＤ接続部１７の内周と、他端部２３Ａと、は雄端子１５ａ、１５ｂと雌端子２５ａ、２５ｂが接続される状態で互いの凹凸が嵌合するような大きさとなっている。このように構成されているので、他端部２３Ａは円錐の軸方向に沿って挿入されると、それに直交するように形成された凸部２３Ａａと凹部１７ａが嵌合することによって、ＬＥＤ接続部１７から他端部２３Ａが抜けないように接合できる。
【００７３】
また、図７等では、接続部材１ＡとＬＥＤ照明装置２Ａとの接続に凹凸の嵌合による方式を用いたが、接続部材１Ａと電子機器３との接続に用いてもよい。
【００７４】
また、図７等では、他端部２３Ａが截頭円錐状に形成されているが、例えば第１の実施形態に示したＬＥＤ照明装置２の他端側に外周に凹凸を形成した截頭円錐状の部材を取り付けるようにしてもよい。
【００７５】
本実施形態によれば、ＬＥＤ接続部１７は、入口よりも奥側が狭まっている截頭円錐状に形成され、その円錐の内周には凹凸部１７ａが形成されており、円錐状かつ当該円錐の外周に凹凸部２３Ａａが形成されたＬＥＤ照明装置２Ａの他端部２３Ａが挿入されて、凹凸部１７ａと凹凸部２３Ａａが嵌合することでＬＥＤ照明装置２Ａの他端部２３Ａが固定される。このようにすることにより、凹凸部１７ａと凹凸部２３Ａａが嵌合することでＬＥＤ照明装置２Ａの他端部２３Ａを固定することができる。また、ＬＥＤ接続部１７が円錐状に形成されているので、ＬＥＤ照明装置２Ａを挿入し易く作業性を向上させることができる。
【００７６】
（第３実施形態）
次に、本発明の第３の実施形態にかかる接続部材１Ｂを図１０〜図１２を参照して説明する。前述した第１、第２の実施形態と同一部分には、同一符号を付して説明を省略する。
【００７７】
本実施形態にかかる接続部材１Ｂは、本体部１１Ａを備えている。本体部１１Ａは、円筒状に形成されている。そして、円筒の一端側内周には、円筒の端から所定の長さだけ他端側に凹部１８ａが内周に沿って円環状に形成されている。また、円筒の他端側内周には、円筒の端から所定の長さだけ一端側に凹部１８ｂが内周に沿って円環状に形成されている。即ち、筒の内周の端部に当該内周を構成する円周に沿って溝部が形成されている。この所定の長さは接続部材１Ｂの雄端子１５ａ、１５ｂとＬＥＤ照明装置２Ｂの雌端子２５ａ、２５ｂとが電気的に接続される程度の長さ、接続部材１Ｂの雄端子１６ａ、１６ｂと電子機器３Ａの雄端子３３ａ、３３ｂとが電気的に接続される程度の長さである。なお、図１０においては、接続部材１Ｂ断面を破線で記載している。また、図１０では、ＬＥＤ照明装置２Ｂや電子機器３Ａとの接続端子は省略している。
【００７８】
凹部１８ａは、後述するＬＥＤ照明装置２Ｂの凸部２６と嵌合することによってＬＥＤ照明装置２Ｂの他端部２３Ｂを固定する。凹部１８ｂは、後述する電子機器３Ａの凸部３５と嵌合することによって電子機器３Ａの一端部を固定する。
【００７９】
また、本実施形態においては、接続部材１ＢとＬＥＤ照明装置２Ｂとの電気的接続及び、接続部材１Ｂと電子機器３Ａとの電気的接続は、第１の実施例で示した雄端子と雌端子によるものと同様である。また、本実施形態において、電源回路４については、図５や図６で示したいずれの態様もとることができる。
【００８０】
本実施形態のＬＥＤ照明装置２Ｂは、管体２１と、一端部２２と、他端部２３Ｂと、を備えている。管体２１と一端部２２は、図１等に示した第１の実施形態と同様である。
【００８１】
他端部２３Ｂは、当該他端部２３Ｂの端、つまりＬＥＤ照明装置２Ｂの端から所定の長さだけ一端側の外周に突起としての凸部２６が外周に沿って円環状に形成されている。この所定の長さは他端部２３Ｂの雌端子２５ａ、２５ｂと接続部材１Ｂの雄端子１５ａ、１５ｂとが電気的に接続される程度の長さである。他端部２３Ｂは、接続部材１Ｂの一端側に挿入されて、凸部２６が凹部１８ａと嵌合することによって固定される。
【００８２】
本実施形態の電子機器３Ａは、本体部３１Ａを備えている。本体部３１Ａは、当該本体部３１Ａの雄端子３３ａ、３３ｂが形成されている側の端から所定の長さだけ一端側の外周部に凸部３５が外周に沿って円環状に形成されている。この所定の長さも上述したのと同様に、雄端子１５ａ、１５ｂと接続部材１Ｂの雌端子２５ａ、２５ｂとが電気的に接続される程度の長さである。本体部３１Ａは、接続部材１Ｂの他端側に挿入されて、凸部３５が凹部１８ｂと嵌合することによって固定される。
【００８３】
なお、凸部２６や凸部３５は１つの円環状に形成されているが、複数に分割されていてもよい。つまり、凸部が円環を構成する外周上に飛び飛びに配置されていてもよい。これは、凹部１８ａ、１８ｂは、１つの円環状の溝となって形成されているので、その凹部のいずれかの部分と嵌合できれば固定することが可能であるためである。
【００８４】
また、図１０等では、接続部材１ＢとＬＥＤ照明装置２Ｂとの接続及び接続部材１Ｂと電子機器３Ａとの接続の両方に突部と溝部による嵌合方式を用いたが、いずれか一方のみに当該方式を用い、他方は第１の実施形態や第２の実施形態等で示した他の方式としてもよい。
【００８５】
本実施形態によれば、端部に溝部としての凹部１８ａが形成され、ＬＥＤ照明装置２Ｂの他端部２３Ｂに形成された突起としての凸部２６と嵌合することで固定している。このようにすることにより、例えば突起である凸部２６と溝部である凹部１８ａの嵌合によってＬＥＤ照明装置２Ｂの他端部２３Ｂが接合されるので、例えば筆記具のキャップのように接続部材にＬＥＤ照明装置２Ｂを押し込むだけで接合状態にすることができる。
【００８６】
（第４実施形態）
次に、本発明の第４の実施形態にかかる接続部材１Ｃを図１３〜図１５を参照して説明する。前述した第１〜第３の実施形態と同一部分には、同一符号を付して説明を省略する。
【００８７】
本実施形態にかかる接続部材１Ｃは、本体部１１Ｂと、機器接続部１４と、を備えている。機器接続部１４は、図１等に示した第１の実施形態と同様である。
【００８８】
本体部１１Ｂは、ＬＥＤ収容部１１Ｂ１と、口金部１１Ｂ３と、ＬＥＤ装着ソケット１１Ｂ６、１１Ｂ７と、配線１１Ｂ８と、を備えている。
【００８９】
ＬＥＤ収容部１１Ｂ１は、略筒状に形成され、本実施形態にかかるＬＥＤ照明装置２Ｃを収容する。ＬＥＤ収容に１１Ｂ１には、収容されたＬＥＤ照明装置２Ｃを収容できる程度の大きさの開口部１１Ｂ２が形成されている。またこの開口部１１Ｂ２から収容されたＬＥＤ照明装置２Ｃの管体２１からの光が外部に照射される。
【００９０】
口金部１１Ｂ３は、ＬＥＤ収容部１１Ｂ１の長手方向の一端側に設けられ有底筒状に形成されている。口金部１１Ｂ３には、本体部１１Ｂの長手方向に突出する一対の口金ピン１１Ｂ４、１１Ｂ５が設けられている。口金ピン１１Ｂ４、１１Ｂ５は、金属等の剛性の高い材料で略円筒形に形成されている。口金ピン１１Ｂ４、１１Ｂ５は、ＬＥＤ照明装置２を取り付けるソケット等に装着されることでソケット等から供給された電力を後述するＬＥＤ装着ソケット１１Ｂ６へ出力する。
【００９１】
ＬＥＤ装着ソケット１１Ｂ６は、ＬＥＤ収容部１１Ｂ１の一端側（口金部１１Ｂ３がある側）に設けられている。ＬＥＤ装着ソケット１１Ｂ６は、開口部１１Ｂ２からＬＥＤ収容部１１Ｂ１に収容されたＬＥＤ照明装置２Ｃの一端部２２Ａが装着される。そして、ＬＥＤ装着ソケット１１Ｂ６は、口金ピン１１Ｂ４、１１Ｂ５から供給された電力をＬＥＤ照明装置２Ｃへ供給する。
【００９２】
ＬＥＤ装着ソケット１１Ｂ７は、ＬＥＤ収容部１１Ｂ１の他端側（電子機器３が接続される側）に設けられている。ＬＥＤ装着ソケット１１Ｂ７は、開口部１１Ｂ２からＬＥＤ収容部１１Ｂ１に収容されたＬＥＤ照明装置２Ｃの他端部２３Ｃが装着される。ＬＥＤ装着ソケット１１Ｂ７は、ＬＥＤ照明装置２Ｃの他端側を保持するのみであり、電気的な接続はしない。
【００９３】
即ち、ＬＥＤ収容部１１Ｂ１は、ＬＥＤ装着ソケット１１Ｂ６、１１Ｂ７によってＬＥＤ照明装置２Ｃの両端を保持している。
【００９４】
配線１１Ｂ８は、口金ピン１１Ｂ４、１１Ｂ５と、ＬＥＤ装着ソケット１１Ｂ６とを電気的に接続する配線等から分岐して、電子機器３と電気的に接続するための雌端子２５ａ、２６ｂと電気的に接続するために設けられている。配線１１Ｂ８は、口金ピン１１Ｂ４、１１Ｂ５にそれぞれに対応した配線からなる。
【００９５】
なお、配線１１Ｂ８は、雌端子２５ａ、２６ｂと直接接続するに限らず、図６に示した電源回路４に接続するようにしてもよい。また、ＬＥＤ照明装置から電力供給をすることができる場合は、配線１１Ｂ８は省略することができる。この場合、ＬＥＤ装着ソケット１１Ｂ７はＬＥＤ照明装置と電気的な接続がされる。
【００９６】
ＬＥＤ照明装置２Ｃは、管体２１と、一端部２２Ａと、他端部２３Ｃと、を備えている。管体２１は、第１の実施形態と同様である。
【００９７】
一端部２２Ａは、管体２１の長手方向の一端側に設けられ有底筒状に形成されている。一端部２２Ａには、管体２１の長手方向に突出する一対の口金ピン２４ａ、２４ｂが設けられている。口金ピン２４ａ、２４ｂは、金属等の剛性の高い材料で略円筒形に形成されている。口金ピン２４ａ、２４ｂは、上述したＬＥＤ装着ソケット１１Ｂ６に装着されることで当該ＬＥＤ装着ソケット１１Ｂ６から電力がＬＥＤ照明装置２Ｃに供給される。
【００９８】
他端部２３Ｃは、管体２の長手方向の他端側に設けられ有底筒状に形成されている。他端部２３Ｃには、管体２１の長手方向に突出する一対の口金ピン２７ａ、２７ｂが設けられている。口金ピン２７ａ、２７ｂは、金属等の剛性の高い材料で略円筒形に形成されている。口金ピン２７ａ、２７ｂは、上述したＬＥＤ装着ソケット１１Ｂ７に装着される。但し、他端部２３Ｃは、ＬＥＤ装着ソケット１１Ｂ７と電気的な接続はしない。
【００９９】
ＬＥＤ照明装置２Ｃとしては、直管型蛍光灯を置き換えることができる周知の直管型ＬＥＤ照明装置を用いることができる。つまり、本実施形態では、ＬＥＤ照明装置２Ｃ自体は従来からある市販の物を用いることができる。
【０１００】
なお、上述した説明では、ＬＥＤ照明装置２Ｃからの光は開口部１１Ｂ２から照射しているが、ＬＥＤ収容部１１Ｂ１の全部または一部を透光性の樹脂等で形成することで、開口部１１Ｂ２以外からも光を照射することができる。
【０１０１】
本実施形態によれば、本体部１１Ａは、ＬＥＤ照明装置２Ｃを収容し、ＬＥＤ照明装置２Ｃの両端を保持するＬＥＤ収容部１１Ｂ１を備え、ＬＥＤ収容部１１Ｂ１は、ＬＥＤ照明装置２Ｃの管体２１の少なくとも一部が露出する開口部１１Ｂ２が設けられている。このようにすることにより、ＬＥＤ収容部１１Ｂ１によりＬＥＤ照明装置２Ｃの両端を保持するので、市販の直管型のＬＥＤ照明装置をそのまま利用することができる。
【０１０２】
なお、本発明は上記実施形態に限定されるものではない。即ち、当業者は、従来公知の知見に従い、本発明の骨子を逸脱しない範囲で種々変形して実施することができる。かかる変形によってもなお本発明の接続部材の構成を具備する限り、勿論、本発明の範疇に含まれるものである。
【符号の説明】
【０１０３】
１、１Ａ、１Ｂ、１Ｃ      接続部材
２、２Ａ、２Ｂ、２Ｃ      ＬＥＤ照明装置
３、３Ａ                  電子機器
４                        電源回路（変換回路）
１１、１１Ａ、１１Ｂ      本体部
１１Ｂ１                  ＬＥＤ収容部（ＬＥＤ固定機構、本体部）
１１Ｂ２                  開口部
１２                      内筒部（ＬＥＤ固定機構）
１３                      外筒部（ＬＥＤ固定機構）
１４                      機器接続部（機器固定機構、螺合部）
１５ａ、１５ｂ            雄端子
１６ａ、１６ｂ            雌端子（供給部）
１７                      ＬＥＤ接続部（ＬＥＤ固定機構）
１７ａ                    凹凸部
１８ａ                    凹部（ＬＥＤ固定機構、溝部）
１８ｂ                    凹部（機器固定機構、溝部）
２１                      管体（発光部）
２２                      一端部
２３、２３Ａ、２３Ｂ      他端部
２３Ａａ                  凹凸部
２６                      凸部（突起）
３１、３１Ａ              本体部
３２                      雄ネジ
３５                      凸部（突起）
【図１】
2020077538.tif 000003
【図２】
2020077538.tif 000004
【図３】
2020077538.tif 000005
【図４】
2020077538.tif 000006
【図５】
2020077538.tif 000007
【図６】
2020077538.tif 000008
【図７】
2020077538.tif 000009
【図８】
2020077538.tif 000010
【図９】
2020077538.tif 000011
【図１０】
2020077538.tif 000012
【図１１】
2020077538.tif 000013
【図１２】
2020077538.tif 000014
【図１３】
2020077538.tif 000015
【図１４】
2020077538.tif 000016
【図１５】
2020077538.tif 000017